【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
広告を介して資金提供される消費者補償スキームにおいて広告主の早期の採用及び保持を促進する、プロセッサー、メモリー及びデータ記憶サブシステムを有するコンピューターシステムであって、
広告主の組から生じた広告収入を収集するコンポーネントと、
前記広告主の組から広告主の部分集合を登録するコンポーネントと、
前記コンピューターシステムを介して賞を与えるために、前記登録された広告主の部分集合による排他的な利用に対して前記広告収入の特定の一部を割り当てるコンポーネントと
を具備し、前記広告主の組は登録された広告主及び登録されていない登録主を含み、前記登録された広告主の部分集合は前記広告収入の前記特定の一部を排他的に利用するシステム。
【請求項２】
広告収入の特定の一部を割り当てる前記コンポーネントは、登録された広告主の補償アカウントに資金を割り当てる請求項１に記載のコンピューターシステム。
【請求項３】
広告収入の特定の一部を割り当てる前記コンポーネントは、所定の時間において、前記広告主の組にアクセス可能な共通の補償アカウントに、未使用の割り当てられた資金を転送する請求項１に記載のコンピューターシステム。
【請求項４】
前記共通の補償アカウントに外部資金を投入する投入コンポーネントをさらに具備する請求項３に記載のコンピューターシステム。
【請求項５】
前記投入コンポーネントは選択された広告主の補償アカウントに外部資金を投入する請求項４に記載のコンピューターシステム。
【請求項６】
登録された広告主に関する機密情報を保持する記憶コンポーネントをさらに具備する請求項１に記載のコンピューターシステム。
【請求項７】
前記登録された広告主に関する前記機密情報は、プライバシー・コンポーネントにより決定されたプライバシー・プロフィールに適合する請求項６に記載のコンピューターシステム。
【請求項８】
補償を与える補償コンポーネントをさらに具備し、前記補償コンポーネントは、
与えられた補償を勘定するコンポーネントと、
不正な補償を軽減する不正禁止コンポーネントと、
補償記録を保持するコンポーネントと
を含む請求項１に記載のコンピューターシステム。
【請求項９】
代理業者及び代理業者によって動作される装置の組を登録するコンポーネントと、
前記登録された代理業者に関連付けられる、オフラインの領域又はオンラインの領域のうちの１つにおいて少なくとも受信される情報から意図を抽出するコンポーネントと、
前記抽出された代理業者の意図と引き換えに、広告支出を介して前記代理業者に補償するコンポーネントと
をさらに具備する請求項１に記載のコンピューターシステム。
【請求項１０】
広告管理コンポーネントをさらに具備し、前記広告管理コンポーネントは、
広告コンテンツを保持する広告コンテンツ記憶部と、
前記登録された代理業者に関する格納された機密情報に従って広告の内容を最適化するコンポーネントと、
前記登録された装置の組における少なくとも１つの装置に従って広告のフォーマットを最適化するコンポーネントと、
最適化された広告に対する登録された代理業者の応答を分析するコンポーネントと
を含む請求項９に記載のコンピューターシステム。
【請求項１１】
プロセッサー、メモリー及びデータ記憶能力を有するコンピューター装置を使用して、広告収入を通じて補助金が支払われる消費者補償スキームにおいて広告主の早期の採用及び保持を促進する、コンピューターにより実施される方法であって、
広告主の組からの広告を表示することに対する支払いを受け取るステップと、
広告を表示することに対して支払いをした、前記広告主の組からの広告主の部分集合を登録するステップと、
補償を与えるために前記登録された広告主の部分集合に対する排他的な補償アカウントに前記支払いの一部を割り当てるステップと、
前記コンピューター装置を介して、前記広告主の組による利用についての共通の補償アカウントに、前記排他的な補償アカウントにおける未使用の部分を転送するステップと
を含む方法。
【請求項１２】
異種の広告主が登録されるべきかどうかを調査するステップと、
前記異種の広告主を登録するステップと
をさらに含む請求項１１に記載のコンピューターにより実施される方法。
【請求項１３】
補償を与えるために登録された広告主の部分集合に対して支払いの一部を割り当てる前記ステップは、
未使用の割り当てられた資金の一部を、前記資金を割り当てた後の設定された回数において、前記共通の補償アカウントへ転送するステップ
を含む請求項１１に記載のコンピューターにより実施される方法。
【請求項１４】
ポリシー又は市場機構のうちの１つに従って前記共通の補償アカウントに資金を割り当てるステップをさらに含む請求項１３に記載のコンピューターにより実施される方法。
【請求項１５】
前記共通の補償アカウントに外部資金を投入するステップをさらに含む請求項１３に記載のコンピューターにより実施される方法。
【請求項１６】
選択された広告主の補償アカウントに外部資金を投入するステップをさらに含む請求項１３に記載のコンピューターにより実施される方法。
【請求項１７】
サービス・プラットフォームと取引する際に代理業者の意図と引き換えに前記代理業者の意図に基づく補償についてのステップをさらに含み、前記ステップは、
代理業者を登録するステップと、
オフライン表現の組又はオンライン表現の組のうち少なくとも１つを介して前記登録された代理業者の商業的意図を抽出するステップと、
前記抽出された商業的意図の正当性を評価するステップと、
前記代理業者の正当な商業的意図と引き換えに前記登録された代理業者に補償するステップと
を含む請求項１１に記載のコンピューターにより実施される方法。
【請求項１８】
代理業者の正当な商業的意図と引き換えに登録された代理業者に補償する前記ステップは、
前記代理業者の商業的意図に少なくとも部分的に基づいて、補償を運ぶ広告を伝えるステップと、
前記広告に応答して前記代理業者の行動を決定するステップと、
前記広告の内容に少なくとも部分的に基づいて、前記代理業者の行動が望ましい行動であることを決定するステップと、
直接の支払い又は報酬トークンのうち少なくとも１つによって前記代理業者に補償するステップと
をさらに含む請求項１７に記載のコンピューターにより実施される方法。
【請求項１９】
代理業者の商業的意図に少なくとも部分的に基づいて補償を運ぶ広告を伝える前記ステップは、
前記広告を表示することに対する支払いを受け取るステップと、
代理業者の商業的意図に少なくとも部分的に基づいて前記代理業者に補償するために前記支払いの一部を割り当てるステップと、
前記代理業者の商業的意図に関連した広告を配信するステップと
をさらに含む請求項１８に記載のコンピューターにより実施される方法。
【請求項２０】
コンピューターによって実行されると、前記コンピューターに、
資金源の間で取引可能な資金を多くの資金源から受け取るステップと、
賞金プログラムに参加するために前記多くの資金源のうちの一部を登録するステップと、
前記賞金プログラム内で報酬を与えるために、前記登録された資金源についての排他的なアカウントに対して、受け取られた資金の一部を割り当てるステップと、
設定された期間の後、任意の未使用の割り当てられた部分を共通のアカウントに転送するステップと、
前記共通のアカウントのアクセスをすべての資金源に対して許可するステップと
を実行させるコード命令を格納するコンピューター読み取り可能な媒体。